(57)【要約】      （修正有）【課題】乳幼児のおむつ替え時に、おむつ替えに必要な物品を分別収納し、展開しエプロン形状にして保護者の腰に装着できるおむつ替えポーチを提供する。【解決手段】平面形状の布等の素材からなる本体１に、同一片面に少なくともおむつ収納ポケット、おしり拭き収納ポケット、ゴミ袋等小物収納ポケットを並列に配置する。この本体両端にベルト７a,７bを設け、これを保護者が腰に巻いてエプロン状に出来る。またエプロン状からおむつ収納ポケット等を内側に折りたたんでポーチ状にし、省スペースで携帯出来る。また、おしり拭きポケットの長辺両側面と短辺両内面に面ファスナーを設け、各々閉じ合わせることで、該ポケットの高さと大きさをおしり拭きの嵩高さに応じて調節し、おしり拭きを１枚ずつ取り出しやすくした。【選択図】図１
2015043956.tif 000002
【特許請求の範囲】
【請求項１】
平面形状の布等の素材からなる本体で、同一片面に、少なくともおむつ収納ポケットＡ（２）、収納ポケットＢ（３）、収納ポケットＣ（４）が並列に配置し、本体両端にベルト設け、これを保護者が腰に巻いてエプロン状に装着できることを特徴とするおむつ替えポーチ。
【請求項２】
本体を２枚の布状素材の周縁を縫い合わせ、中空部を設け、収納ポケットＣ（４）の裏側に収納ポケットＤ（６）を設けたことを特徴とする請求項１記載のおむつ替えポーチ。
【請求項３】
収納ポケットＢ（３）の長辺両側面と短辺両内面に面ファスナーを設け、各々の面ファスナーを閉じ合わせることで、該ポケットのサイズをおしり拭きの厚さと大きさに応じ調節できることを特徴とする請求項１乃至２記載のおむつ替えポーチ。
【請求項４】
本体が撥水加工を施された素材からなることを特徴とする請求項１乃至３記載のおむつ替えポーチ。
【請求項５】
収納ポケットＢ（３）に設けたおしり拭き取り出し口（１１）の裏面円周にシリコンゴム等摩擦係数の高い平面部材（１６）を設けたことを特徴とする請求項１乃至４記載のおむつ替えポーチ。
【請求項６】
本体から着脱可能な収納ポケットＢ（３）を設けたことを特徴とする請求項１乃至５記載のおむつ替えポーチ。
【発明の詳細な説明】
【技術分野】
【０００１】  本発明は、おむつ替えに必要な物品を分別収納し、おむつ替え時に展開してエプロン状にして保護者の体に装着できる、おむつ替えポーチに関するものである。
【背景技術】
【０００２】従来のおむつ替えポーチはいわば袋型のものが一般的で、外出先のおむつ替えベッドに児と共に置いて作業せざるを得なかった。
また、おむつ替えポーチを使わない場合、児と外出する時は哺乳瓶等と共におむつやおしり拭きが手提げ袋に混在している状況であった。
なお、手提げ型で、おむつ替えに必要な物品等を分別収納した発明が知られている（特許文献１）。
【先行技術文献】
【特許文献】
【０００３】
【特許文献１】特許公開平８−２８０４３２号公報
【発明の概要】
【発明が解決しようとする課題】
【０００４】  そのために、次のような問題点があった。
（イ）おむつ替えベッドに児を寝かせておむつやおしり拭きを広げると、脱がせた衣類もあるため作業スペースが狭くなり効率が悪かった。
（ロ）ベビーカー等を台代わりにおむつポーチを置いた場合は、作業中、ベッド上の児から目を離してしまい、児がベッドから転落する危険性があった。
（ハ）必要時、所望の物を素早く取り出すことが出来ず、トイレ等おむつ替えスペースに、おむつ替えに必要のない物まで入った手提げ袋を持って行かざるを得なかった。
（ニ）従来のおむつポーチでは、おしり拭きの大きさや嵩高に応じて高さを調節できるおしり拭きポケットが無かったため、おしり拭きが収納しづらく、１枚ずつ取り出しにくかった。
本発明は、以上の問題点を解決するためになされたものである。
【課題を解決するための手段】
【０００５】  平面形状の布等の素材からなる本体で、本体同一片面に少なくともおむつ収納ポケット、おしり拭き取り出し口を設けたおしり拭き収納ポケット、ゴミ袋等小物収納ポケットを有し、本体両端にベルトを設け、これを保護者が腰に巻いてエプロン状に出来る。またエプロン状からおむつ収納ポケット等を内側に折りたたんでポーチ状にし、省スペースで携帯出来る。
また、おしり拭きポケットの長辺両側面と短辺両内面に設けた面ファスナーを閉じ合わせることで、少なくなったおしり拭きや小さいサイズのおしり拭きでもポケットの中で動かないよう仮留めでき、１枚ずつ取り出しやすく、おしりふきの大きさや嵩高に応じてポケットのサイズを調節できる。さらに、おしりふき収納ポケットは、単独でポーチから着脱可能とする。
以上を特徴とするおむつ替えポーチ。
【発明の効果】
【０００６】  本発明は、おむつ替えに必要な物品を手提げ等からまとめて素早く取り出せるので、おむつ替えに必要ない物が混在した手提げ等から一つ一つ探す煩わしさがない。
また、おむつやおしり拭きを保護者が身につけることで、作業スペースを狭めることなく効率よくおむつ替えができ、児から目を離すことが少なくなるため、児がベッドから転落する危険が減少する。
おしり拭きポケットのサイズを調節できることで、その時々に応じたポーチの嵩高さに調節できる。
【図面の簡単な説明】
【０００７】
【図１】本発明の表面斜視図
【図２】本発明の裏面斜視図
【図３】Ａ−Ａ断面図
【図４】本発明の使用状態を示す斜視図
【図５】本発明の使用状態の背面を示す斜視図
【図６】本発明の携帯状態を示す斜視図
【図７】本発明の図５とは別の携帯状態を示す斜視図
【図８】本発明の収納ポケットＢ（３）を示す斜視図
【図９】Ｂ−Ｂ断面図
【発明を実施するための形態】
【０００８】  以下、本発明の実施の形態について説明する。
平面形状の布等の素材からなる本体（１）で、同一片面に、少なくとも収納ポケットＡ（２）、収納ポケットＢ（３）、収納ポケットＣ（４）が並列に配置する。この時、布等の素材は、撥水加工を施された素材を使用する事がより好ましい。更に収容能力を増やすために、本体を２枚の布状素材の周縁を縫い合わせ、中空部分を設け、収納ポケットＣ（４）の裏側に、収納ポケットＤ（６）を設ける。この収納ポケットＤ（６）は、本体長手方向に対して直行するように開口部（５）を設け、ファスナーにより内容物が飛び出さないようにしてある。なお、収納ポケットＡ（２）には未使用おむつを、収納ポケットＢ（３）にはおしり拭きを、収納ポケットＣ（４）にはゴミ袋等の小物を、収納ポケットＤ（６）には使用済みおむつ等を一時収納できる。
【０００９】  本体（１）の一端にベルト（７ａ）と他端に環状にしたベルト（７ｂ）を設ける。ベルト（７ａ）の先端には接続具を設ける。接続具には、ベルト端部に差し込んで固定するワンタッチバックルやベルト（７ａ）の先端にフックとベルト（７ｂ）に連結具を採用することが好ましい。またこのフックと連結具をどちら側につけてもよい。
【００１０】本体（１）の収納ポケットＡ、Ｂ、Ｃを設けた面の一端に、面ファスナー（９ａ）を設け、面ファスナー（９ａ）と対になる面ファスナー（９ｂ）を面ファスナー（９ａ）とは反対側の一端の裏面に設ける。ここで記載した面ファスナーは、面ファスナーだけに限定されるものではなく、スナップボタン、ボタンなどにより仮止する事が考えられる。
【００１１】収納ポケットＢ（３）は、おしり拭きを一枚ずつ取り出せるおしり拭き取り出し口（１１）を有し、また該おしり拭きの嵩高に応じてポケットの高さと大きさを調節するため、その両長辺側面に面ファスナー（１２ａ）と、（１２ａ）と対になる面ファスナー（１２ｂ）を設ける。また、該ポケットの両短辺内側に面ファスナー（１３ａ）と、（１３ａ）と対になる面ファスナー（１３ｂ）を設ける。
【００１２】収納ポケットＢ（３）のおしり拭き取り出し口（１１）の裏面円周には、シリコンゴム等摩擦係数の高い平面部材（１６）を設ける。
【００１３】  収納ポケットＢ（３）の裏面に面ファスナー（１７ａ）を、（１７ａ）と対になる面ファスナー（ｌ７ｂ）を本体（１）に設け、収納ポケットＢ（３）を本体に着脱可能とする。
本発明は以上の構成よりなっている。
【００１４】  これを使用するときは、本体（１）の収納ポケットＡ、Ｂ、Ｃを設けた面を外側にし、これを保護者の腰にエプロン状に巻き、ベルト（７ａ）とベルト（７ｂ）を用いて接続する。
【００１５】  また、これを携帯する場合には、本体（１）を収納ポケットＡ、Ｂ、Ｃを設けた面を内側にして折りたたみ、面ファスナー（９ａ）と（９ａ）と対になる面ファスナー（９ｂ）を閉じ合わせて、ベルト（７ｂ）を持ち手としてポーチ形状を保持できる。
また、折りたたんでポーチ形状とした本体（１）の外周に、ベルト（７ｂ）を掛けて保持することもできる。
おしり拭きのみを使用する場合は、収納ポケットＢ（３）を本体から取り外し、単独で使用可能である。
【符号の説明】
【００１６】  １  本体
２  収納ポケットＡ
３  収納ポケットＢ
４  収納ポケットＣ
５  ファスナー
６  収納ポケットＤ
７ａ  ベルト
７ｂ  ベルト
８  接続金具
９ａ  面ファスナー
９ｂ  面ファスナー
１１  おしり拭き取り出し口
１２ａ  面ファスナー
１２ｂ  面ファスナー
１４ａ  面ファスナー
１４ｂ  面ファスナー
１６  シリコンゴム等摩擦係数の高い平面部材
１７ａ  面ファスナー
１７ｂ  面ファスナー
【図１】
2015043956.tif 000003
【図２】
2015043956.tif 000004
【図３】
2015043956.tif 000005
【図４】
2015043956.tif 000006
【図５】
2015043956.tif 000007
【図６】
2015043956.tif 000008
【図７】
2015043956.tif 000009
【図８】
2015043956.tif 000010
【図９】
2015043956.tif 000011